(57)【特許請求の範囲】
【請求項１】
液晶パネルの表面外周に当接する液晶パネル枠を回路基板上で保持する液晶パネル枠の保持機構であって、
前記回路基板の前記液晶パネルに臨む側の表面に設けられた導電性材料製の係止部材を備え、前記係止部材は前記回路基板の導電パターン部に半田付けされて固定されており、
前記液晶パネル枠は導電性材料から形成され、前記液晶パネル枠は前記係止部材と係合可能な係止部を有し、
前記液晶パネルの裏面に当接して前記液晶パネルを裏面から表面に向けて付勢する付勢部材を備え、前記液晶パネル枠の前記係止部が前記係止部材に係止した状態で前記付勢部材が前記液晶パネルを裏面から表面へ向けて付勢することにより前記液晶パネルはその表面が前記液晶パネル枠に当接した状態に保持され、
前記液晶パネル枠の前記係止部が前記係止部材に係止した状態で前記液晶パネル枠の前記係止部と前記係止部材とが電気的に導通するように構成されており、
前記係止部材は、前記液晶パネルの側方であって、且つ、前記回路基板の厚み方向においては前記液晶パネル枠の表面と前記回路基板の前記液晶パネルに臨む側の表面との間に位置する空間に配置されており、
前記係止部材は、前記回路基板の表面との間に間隔をおいて該表面と平行に延在する中間部と、該中間部の長さ方向の両端に設けられた脚部とを有し、前記脚部が前記回路基板の前記導電パターン部に半田付けによって固定されており、前記中間部と前記回路基板の表面との間に形成された隙間に前記液晶パネル枠の前記係止部が挿通されるように構成されている、
ことを特徴とする液晶パネル枠の保持機構。
【請求項２】
前記付勢部材は、高さ方向の一方の面が前記液晶パネルの裏面に、他方の面が前記回路基板の表面にそれぞれ圧接され、前記液晶パネルと前記回路基板の間で前記液晶パネルの裏面の一側に沿って延在する圧接ゴムからなることを特徴とする請求項１記載の液晶パネル枠の保持機構。
【請求項３】
前記圧接ゴムは高さ方向に貫通して延在する複数の導電ゴムと各導電ゴム間を絶縁する絶縁ゴムが前記圧接ゴムの長手方向に交互に位置するように形成され、前記高さ方向の一方の面が前記液晶パネルの裏面に圧接されると共に、前記高さ方向の他方の面が前記回路基板の表面に圧接された状態で前記各導電ゴムの部分を介して前記液晶パネルの裏面と前記回路基板の表面とが電気的に導通されるように構成されていることを特徴とする請求項２記載の液晶パネル枠の保持機構。
【請求項４】
前記付勢部材は、屈曲された状態で前記液晶パネルの裏面に当接するフレキシブル基板から構成され、前記付勢部材による前記液晶パネルに対する裏面から表面に向けての付勢は屈曲された前記フレキシブル基板の弾性力によってなされることを特徴とする請求項１記載の液晶パネル枠の保持機構。
【請求項５】
前記フレキシブル基板は前記回路基板の一部を構成していることを特徴とする請求項４記載の液晶パネル枠の保持機構。
【請求項６】
前記フレキシブル基板は前記液晶パネルに当接する箇所において電気的に接続されていることを特徴とする請求項４または５記載の液晶パネル枠の保持機構。
【請求項７】
前記係止部材は前記回路基板の接地線に導通されていることを特徴とする請求項１乃至６に何れか１項記載の液晶パネルの保持機構。
【発明の詳細な説明】
【０００１】
【発明の属する技術分野】
本発明は液晶パネル枠の保持機構に関する。
【０００２】
【従来の技術】
例えば、カメラなどの電子機器には種々の情報（撮影モードや撮影枚数など）を表示する液晶パネルが設けられている。
このような電子機器においては、回路基板上に液晶パネルを配設する際、液晶パネルの外周に沿って延在し、液晶パネル表面外周に当接する液晶パネル枠を保持するための液晶パネル枠の保持機構が設けられている。
従来の液晶パネル枠の保持機構は、例えば次のように構成されている。すなわち、回路基板上に前記液晶パネル裏面外周に当接する環状の枠保持部材を設け、この枠保持部材と液晶パネル枠との間に液晶パネルを挟み込んだ状態で枠保持部材側に設けた係止爪を液晶パネル枠側に設けた孔の縁部に係止させることでこれら枠保持部材、液晶パネル枠、液晶パネルが一体的に保持されている。
また、枠保持部材の回路基板への取付は、例えば回路基板の液晶パネル配設面と反対側の面に回路基板に沿って延在する固定部材を配設し、この固定部材と回路基板を貫通するねじ挿通孔を設け、このねじ挿通孔を通してねじを枠保持部材側に設けたねじ孔に螺合させることによって行なわれている。
また、液晶パネル枠は導電性材料、例えば金属板から形成されており、液晶パネルに対する静電気の影響を除去するために、液晶パネル枠がリード線などの配線部材によって回路基板の接地線に接続されている。
【０００３】
【発明が解決しようとする課題】
上述した枠保持部材を用いた従来の液晶パネル枠の保持機構では、次のような欠点がある。
第１に、枠保持部材を回路基板に取り付けるために固定部材にねじ挿通孔を設けるための加工が必要となり、製造コストがかかる。
第２に、液晶パネル枠を接地するリード線などの配線部材が必要となり部品コストがかかる。
第３に、枠保持部材は強度が弱い合成樹脂などの材料から構成されており、この枠保持部材の取付強度を確保するため、枠保持部材を液晶パネルの外周に沿って設け、かつ、ねじによる固定箇所を２箇所以上設けることが必要となる。このため、枠保持部材自体と取り付けのためのねじ孔などが回路基板上でスペースを占有してしまい、部品を実装するスペースが無駄に使われてしまう。
本発明は前記事情に鑑み案出されたものであって、本発明の目的は、製造コストを削減すると共に、回路基板上のスペースを広く確保することができる液晶パネル枠の保持機構を提供することにある。
【０００４】
【課題を解決するための手段】
本発明は、液晶パネルの表面外周に当接する液晶パネル枠を回路基板上で保持する液晶パネル枠の保持機構であって、前記回路基板の前記液晶パネルに臨む側の表面に設けられた導電性材料製の係止部材を備え、前記係止部材は前記回路基板の導電パターン部に半田付けされて固定されており、前記液晶パネル枠は導電性材料から形成され、前記液晶パネル枠は前記係止部材と係合可能な係止部を有し、前記液晶パネルの裏面に当接して前記液晶パネルを裏面から表面に向けて付勢する付勢部材を備え、前記液晶パネル枠の前記係止部が前記係止部材に係止した状態で前記付勢部材が前記液晶パネルを裏面から表面へ向けて付勢することにより前記液晶パネルはその表面が前記液晶パネル枠に当接した状態に保持され、前記液晶パネル枠の前記係止部が前記係止部材に係止した状態で前記液晶パネル枠の前記係止部と前記係止部材とが電気的に導通するように構成されており、前記係止部材は、前記液晶パネルの側方であって、且つ、前記回路基板の厚み方向においては前記液晶パネル枠の表面と前記回路基板の前記液晶パネルに臨む側の表面との間に位置する空間に配置されており、前記係止部材は、前記回路基板の表面との間に間隔をおいて該表面と平行に延在する中間部と、該中間部の長さ方向の両端に設けられた脚部とを有し、前記脚部が前記回路基板の前記導電パターン部に半田付けによって固定されており、前記中間部と前記回路基板の表面との間に形成された隙間に前記液晶パネル枠の前記係止部が挿通されるように構成されていることを特徴とする。
そのため、第１に、従来と違って、枠保持部材が不要であるため、固定部材にねじ挿通孔を設けるなどの加工がなく、製造コストを低減できる。
第２に、第１係止部を第２係止部に係止するだけで液晶パネル枠を接地することが可能となり、液晶パネル枠を接地するリード線などの配線部材が不要となり、部品コストを低減できる。
第３に、枠保持部材が不要であるため、枠保持部材自体と取り付けのためのねじ孔などが回路基板上でスペースを占有することがなく、部品を実装するスペースを充分に確保することができる。
【０００６】
【発明の実施の形態】
以下、本発明の実施の形態について図面を参照して説明する。
図１は本発明の実施の形態の液晶パネル枠の保持機構の構成を示す平面図、図２は図１をＡＡ線断面から見た状態を示す説明図、図３は図１をＢＢ線断面から見た状態を示す説明図、図４は同実施の形態における要部を示す斜視図である。図５は他の実施の形態を示す説明図である。
【０００７】
まず、図１乃至図４を参照して本実施の形態の液晶パネル枠の保持機構の構成について説明する。
図１に示されているように、本実施の形態の液晶パネル枠の保持機構１０００は、液晶パネル枠１００、液晶パネル２００、圧接ゴム３００（特許請求の範囲の付勢部材に相当）、回路基板４００、固定部材５００、係止部材６００などを備えて構成されている。
【０００８】
液晶パネル枠１００は、導電性材料、例えば金属板から形成され、液晶パネル２００の表示面２０２を外方に臨ませるための長方形の窓部１０１を形成する環状の上壁１０２と、上壁１０２の短辺の側縁から下方に屈曲された側壁１０４、１０６と、上壁１０２の長辺の側縁から下方に屈曲された側壁１０８、１１０と、側壁１０４、１０６に設けられた係止爪１１２、１１４とを備えている。
【０００９】
図４に示されているように、係止爪１１２は、側壁１０４の長さ方向の中間箇所から下方に延在する腕部１１２Ａと、この腕部１１２Ａの下端から液晶パネル枠１００の中心から外方に向かう方向（腕部１１２Ａの延在方向とほぼ直交する方向）に屈曲された爪部１１２Ｂとから構成されている。
係止爪１１４も前記係止爪１１２と同様に、側壁１０６の長さ方向の中間箇所から下方に延在する腕部１１４Ａと、この腕部１１４Ａの下端から液晶パネル枠１００の中心から外方に向かう方向（腕部１１４Ａの延在方向とほぼ直交する方向）に屈曲された爪部１１４Ｂとから構成されている。
そして、各係止爪１１２、１１４は、腕部１１２Ａ、１１４Ａが厚さ方向に弾力的に変位可能に設けられている。
【００１０】
液晶パネル２００は、厚さを有する矩形板状を呈し、上壁１０２の内面１０２Ａ、側壁１０４、１０６、１０８、１１０の各内面１０４Ａ、１０６Ａ、１０８Ａ、１１０Ａによって形成された収容空間に収容された状態で、その周縁部の表面が前記液晶パネル枠１００の上壁１０２の内面１０２Ａに当接されている。そして、液晶パネル２００は、その表示面２０２が窓部１０１を介して外方（上方）の臨んだ状態となっている。
なお、液晶パネル２００の裏面２０４の長手方向の一側には、この液晶パネル２００を動作させるための電源や信号を圧接ゴム３００を介して回路基板４００へ供給するための液晶電極が延在している。
【００１１】
圧接ゴム３００は、断面形状は上下方向に長手方向を有する矩形状を呈し、全長にわたって均一な高さで形成されている。そして、高さ方向の一方の面３０２が液晶パネル２００の裏面２０４に、他方の面３０４が前記回路基板４００の表面にそれぞれ圧接され液晶パネル２００と回路基板４００の間で液晶パネル２００の裏面２０４の一側に沿って延在された状態で配設されるようになっている。
圧接ゴム３００は、その高さ方向に貫通して延在する複数の導電ゴムと各導電ゴム間を絶縁する絶縁ゴムが前記圧接ゴムの長手方向に交互に位置するように形成されている。そして、一方の面３０２が液晶パネル２００の裏面２０４に形成されている図略の液晶電極に圧接可能に、他方の面３０４が回路基板４００の表面４０２に形成されている図略の基板電極に圧接可能に設けられ、これらの面３０２、３０４がそれぞれ液晶電極と基板電極に圧接された状態で前記各導電ゴムの部分を介して液晶電極と基板電極とが電気的に導通されるように構成されている。
【００１２】
回路基板４００は、表面４０２を液晶パネル２００側に臨ませ、裏面４０４を固定部材５００に臨ませた状態で配設されている。
固定部材５００は、回路基板４００に沿って延在された板状の部材から構成されており、表面５０２を回路基板４００の裏面４０４に臨ませた状態で回路基板４００を保持している。
【００１３】
回路基板４００の表面４０２のうち、液晶パネル枠１００の係止爪１１２、１１４に臨む箇所付近には、回路基板４００の接地線（グランドライン）に導通された導電パターン部４０６、４０８が形成されている。
導電パターン部４０６は側壁１０４と平行な直線上において係止爪１１２を中間に挟む２箇所に設けられており、導電パターン部４０８は側壁１０６と平行な直線上において係止爪１１４を中間に挟む２箇所に設けられている。
【００１４】
図４に示されているように、係止部材６００は、回路基板４００の表面４０２との間に間隔をおいて該表面と平行に延在する中間部６０２と、中間部６０２の長さ方向の両端から下方に屈曲され中間部６０２の外方に回路基板４００の表面４０２と平行方向に延在する脚部６０４とを有する導電性材料、例えば金属板などから形成されている。
そして、係止部材６００の脚部６０４は、回路基板４００の表面４０２の導電パターン部４０６、４０８に半田付けによって固定されている。この際、中間部６０２と回路基板４００の表面４０２との間には係止爪１１２、１１４に臨むように隙間６０３が形成されている。そして、隙間６０３は、爪部１１２Ｂ、１１４Ｂが挿通可能となるように構成されている。
また図２から明らかなように、係止部材６００は、液晶パネル２００の側方であって、回路基板４００の厚み方向においては、液晶パネル枠１００の表面と、回路基板４００の液晶パネル２００に臨む側の表面５０２との間に位置する空間Ａに配置されている。
【００１５】
次に、回路基板４００に対して液晶パネル枠１００、液晶パネル２００、圧接ゴム３００を取り付ける手順について説明する。
まず、圧接ゴム３００をその面３０４が回路基板４００の表面４０２の基板電極に面するように置く。
そして、液晶パネル２００をその液晶電極が圧接ゴム３００の面３０２に面するように保持する。
【００１６】
次いで、液晶パネル枠１００をその上壁１０２の内面１０２Ａが液晶パネル２００の表面２０２の外周に当接するように液晶パネル２００の上から被せる。
この際、液晶パネル枠１００の係止爪１１２、１１４が回路基板４００に設けられている係止部材６００に対応する箇所に位置するように液晶パネル枠１００を位置させておく。
【００１７】
係止爪１１２、１１４の腕部１１２Ａ、１１４Ａを内方に押圧することによって、爪部１１２Ｂ、１１４Ｂを係止部材６００の中間部６０２の隙間６０３に挿入可能な位置まで変位させる。
そして、爪部１１２Ｂ、１１４Ｂが隙間６０３に臨む箇所に変位されたら腕部１１２Ａ、１１４Ａへの押圧を解除することで、爪部１１２Ｂ、１１４Ｂの変位が解除され爪部１１２Ｂ、１１４Ｂが隙間６０３に挿入されて中間部６０２に係止される。
この状態で、中間部６０２と爪部１１２Ｂ、１１４Ｂは電気的に接続されている。したがって、液晶パネル枠１００は、係止爪１１２、１１４、係止部材６００、導電パターン部４０６、４０８を介して回路基板４００の接地線に接続される。
【００１８】
また、係止爪１１２、１１４が係止部材６００に係止された状態で圧接ゴム３００は液晶パネル２００の裏面２０４の液晶電極と回路基板４００の基板電極との間で圧接されている。そして、圧接ゴム３００の作用によって液晶パネル２００は裏面２０４から表面２０２に向けて付勢され液晶パネル２００の表面２０２の外周が液晶パネル枠１００の上壁１０２の内面１０２Ａに当接された状態に保持されている。
また、係止爪１１２、１１４が係止部材６００に係止された状態で液晶パネル２００の裏面２０４と回路基板４００の表面４０２との間の寸法は、圧接ゴム３００の面３０２、３０４間の寸法よりも小となるように設定されている。
したがって、圧接ゴム３００が液晶パネル２００の裏面２０４と回路基板４００の基板電極との間で圧接されることにより、液晶パネル２００の表面２０２の外周が液晶パネル枠１００の上壁１０２の内面１０２Ａに押し付けられると同時に、係止爪１１２の爪部１１２Ｂの上面と係止爪１１４の爪部１１４Ｂの上面がそれぞれ係止部材６００の中間部６０２の裏面に押し付けられることになる。この結果、これら爪部１１２Ｂ、１１４Ｂが中間部６０２と回路基板４００の表面４０２との間に形成されている隙間６０３内で動くことが防止された状態で、係止爪１１２、１１４と係止部材６００との位置決めがなされている。
【００１９】
なお、液晶パネル枠１００を回路基板４００から取り外す場合には、係止爪１１２、１１４を内方に押圧して変位させ、係止部材６００との係止を解除すればよい。
【００２０】
したがって、本実施の形態の液晶パネル枠の保持機構１０００によれば、次の作用効果が奏される。
第１に、従来と違って、枠保持部材が不要であるため、固定部材にねじ挿通孔を設けるなどの加工がなく、製造コストを低減できる。
第２に、従来と違って、液晶パネル枠１００を係止部材６００に取り付けるだけで液晶パネル枠１００を接地することができるから、液晶パネル枠を接地するリード線などの配線部材が不要となり、部品コストを低減できる。
第３に、液晶パネル枠１００と係止部材６００を配設するスペースのみを確保すればよく、従来と違って、枠保持部材が不要であるため、枠保持部材自体と取り付けのためのねじ孔などが回路基板上でスペースを占有することがなく、部品を実装するスペースを充分に確保することができる。
【００２１】
次に、図５を参照して本発明の他の実施の形態について説明する。
図５に示す他の実施の形態では、回路基板４００としてフレキシブル基板を使用した例を示している。そして、前述した実施の形態では圧接ゴム３００の付勢力によって液晶パネル２００の表面２０２の外周を液晶パネル枠１００の上壁１０２の内面１０２Ａに当接させていたが、この他の実施の形態では、フレキシブル基板の一部を屈曲させることによって生じる弾性力によって液晶パネル２００の表面２０２の外周を液晶パネル枠１００の上壁１０２の内面１０２Ａに当接させている。
【００２２】
すなわち、回路基板４００の一部を屈曲させることで屈曲部４０６を形成し、この屈曲部４０６の液晶パネル２００の裏面２０４に臨む箇所に基板電極を設け、この基板電極と液晶パネル２００の裏面２０４の液晶電極との間に圧接ゴム３００を配設する。ここで、圧接ゴム３００の高さ方向の一方の面３０２は前記液晶電極に圧接され、他方の面３０４は前記基板電極に圧接されている。
【００２３】
上記構成によれば、回路基板４００の屈曲部４０６の弾性力によって液晶パネル２００の裏面２０４が表面２０２に向けて押圧されることにより、液晶パネル２００の表面２０２の外周は、液晶パネル枠１００の上壁１０２の内面１０２Ａに当接された状態に保持されている。
この場合、圧接ゴム３００が液晶電極と基板電極に圧接された状態で前記各導電ゴムの部分を介して液晶電極と基板電極とが電気的に導通されることは前述した通りである。また、各係止爪１１２、１１４が係止部材６００に係止することで液晶パネル枠１００が回路基板４００の接地線に導通されることも前述と同様である。
このような他の実施の形態においても前述した実施の形態と同様の作用効果を奏することはもちろんである。
なお、図５の例ではフレキシブル基板によって構成された回路基板４００と液晶パネル２００の裏面２０４との間に圧接ゴム３００を配設したが、この圧接ゴム３００を除去し、回路基板４００の基板電極と液晶パネル２００の裏面２０４の液晶電極とを直接当接させて接続するように構成してもよい。
【００２５】
【発明の効果】
以上の説明で明らかなように本発明の液晶パネル枠の保持機構は、導電性材料から形成された液晶パネル枠の係止部が、回路基板の液晶パネルに臨む側の表面に設けられた導電性材料製の係止部材に係止した状態で、それら係止部と係止部材とが電気的に導通するように構成されている。
そのため、第１に、従来と違って、枠保持部材が不要であるため、固定部材にねじ挿通孔を設けるなどの加工がなく、製造コストを低減できる。
第２に、第１係止部を第２係止部に係止するだけで液晶パネル枠を接地することが可能となり、液晶パネル枠を接地するためのリード線などの配線部材が不要となり、部品コストを低減できる。
第３に、枠保持部材が不要であるため、枠保持部材自体と取り付けのためのねじ孔などが回路基板上でスペースを占有することがなく、部品を実装するスペースを充分に確保することができる。
【図面の簡単な説明】
【図１】本発明の実施の形態の液晶パネル枠の保持機構の構成を示す平面図である。
【図２】図１をＡＡ線断面から見た状態を示す説明図である。
【図３】図１をＢＢ線断面から見た状態を示す説明図である。
【図４】同実施の形態における要部を示す斜視図である。
【図５】他の実施の形態を示す説明図である。
【符号の説明】
１０００  液晶パネル枠の保持機構
１００  液晶パネル枠
１１４、１１６  係止爪
２００  液晶パネル
３００  圧接ゴム
４００  回路基板
５００  固定部材
６００  係止部材
【図１】
0004514250.tif 000002
【図２】
0004514250.tif 000003
【図３】
0004514250.tif 000004
【図４】
0004514250.tif 000005
【図５】
0004514250.tif 000006